(57)【要約】【課題】簡易な構成で照明装置を着脱可能であり、美観の低下も防げる帽子を提供する。【解決手段】帽子１００は、帽子装着者の頭部にその内面が接する本体部１と、本体部１の前方に突き出るつば部２と、つば部２の下面に設けられ、前方に照明光を照射するＬＥＤ照明装置１０を着脱可能な着脱部２２、２４と、を備える。本体部１の前方に突き出るつば部２の下面に、ＬＥＤ照明装置１０を着脱可能な着脱部２２、２４を設けたので、必要に応じて照明装置を装着したり外したりすることを容易に行える。【選択図】図５
2019163553.tif 000002
【特許請求の範囲】
【請求項１】
装着者の頭部にその内面が接する本体部と、
前記本体部の前方に突き出るつば部と、
前記つば部の下面に設けられ、前方に照明光を照射する照明装置を着脱可能な着脱部と、を備えた帽子。
【請求項２】
請求項１に記載の帽子において、
前記着脱部は、
当該帽子の正面視、前記つば部の下面の左右に備えられていることを特徴とする帽子。
【請求項３】
請求項１または２に記載の帽子であって、
前記着脱部は、
前記照明装置を着脱可能なホルダーに一端が固着されたボルトの他端を、前記つば部に形成した貫通孔に挿通し、ナットで締結可能な構成であることを特徴とする帽子。
【請求項４】
請求項１または２に記載の帽子であって、
前記着脱部は、
前記照明装置の筐体に固着された面ファスナーに対して着脱可能な面ファスナーを、前記つば部の下面に備えた構成であることを特徴とする帽子。
【発明の詳細な説明】
【技術分野】
【０００１】
本発明は、つば部を備えた帽子の改良に関し、より詳細には、照明装置を着脱可能とした帽子に関する。
【背景技術】
【０００２】
従来から、帽子の装着者の前方に照明光を照射させるために、様々な帽子が提案されてきた。例えば、帽子のつばの上部に筒を設け、この筒の真中部分に伸縮可能な合成ゴムを設け、ライトをこの筒に差し込む構成の帽子が提案されていた（特許文献１参照）。
【０００３】
また、取付け板をつば部の部材間に挟み込んだ帽子として、この取付け板の前方縁部にＬＥＤランプ群を設けることにより、夜間時の歩行等において、前方に対する広範、かつ、十分な明るさを確保することを可能にしていた（特許文献２参照）。
【先行技術文献】
【特許文献】
【０００４】
【特許文献１】特開２０１２−１０２４４９号公報（第１−２頁、第１図）
【特許文献２】特開２００４−３４６４７０号公報（第２−３頁、第１図）
【発明の概要】
【発明が解決しようとする課題】
【０００５】
しかしながら、特許文献１、特許文献２等に開示されている従来技術によれば、照明装置（ライト）が不要になった場合のことなどについては、考慮されていない。つまり、照明光が不要になった場合、照明装置が差し込まれたゴム製筒からの抜き出しは容易ではないし、また、ＬＥＤ群をその前方縁部に取付けた取付け板をつば部から取り除くのは容易ではないし、そもそも、見た目も良くなかった。
【０００６】
また、特許文献２に記載の帽子によれば、照明装置のオンオフ操作するためのスイッチ等を帽子に設けているので、その分、帽子の構造が大がかりになる等の問題もあった。
【０００７】
本発明は、かかる従来の課題を解決するためになされたもので、簡易な構成で、照明装置を着脱可能であり、美観の劣化も防げる帽子を提供することを目的とする。
【課題を解決するための手段】
【０００８】
上記目的を達成するために、本発明は、装着者の頭部にその内面が接する本体部と、
前記本体部の前方に突き出るつば部と、
前記つば部の下面に設けられ、前方に照明光を照射する照明装置を着脱可能な着脱部と、を備えた構成とした。
【０００９】
この構成によれば、本体部の前方に突き出るつば部の下面に、照明装置を着脱可能な着脱部を設けた簡易な構成で、美観の劣化を極力防ぎつつ、必要に応じて照明装置を装着したり外したりすることができる。
【００１０】
この帽子において、着脱部を、当該帽子の正面視、つば部の下面の左右に備えた構成としたので、帽子装着者の右側および／または左側に照明装置を装着することが可能となる。この結果、両目または片目近傍を明るくすることができて、作業性が向上する。
【００１１】
着脱部として、照明装置を着脱可能なホルダーに一端が固着されたボルトの他端を、つば部に形成した貫通孔に挿通し、ナットで締結可能な構成とすることができる。これによれば、ナットを締め付けたり、緩めたりすることで、帽子に対して照明装置を着脱することが可能になるとともに、照明装置の水平面おける方向調整も容易となる。また、ホルダーに対して照明装置を装着したり、脱着したりすることができる。
【００１２】
また、着脱部として、照明装置の筐体に固着された面ファスナーに対して着脱可能な面ファスナーを、つば部の下面に備えた構成とすることもできる。これによれば、双方の面ファスナーを貼り付けたり、剥がしたりすることにより、照明装置の着脱を極めて容易に行うことができる。
【発明の効果】
【００１３】
本発明によれば、簡易な構成で照明装置を着脱可能で、美観の劣化も防げる帽子を提供できるという効果が得られる。
【図面の簡単な説明】
【００１４】
【図１】帽子１００の側面図である。
【図２】帽子１００の底面図である。
【図３】ＬＥＤ照明装置１０の正面図、左側面図である。
【図４】ホルダー２０を取付けたＬＥＤ照明装置１０の斜視図である。
【図５】帽子１００へのＬＥＤ照明装置１０の装着状態を示す模式的説明図である。
【図６】第２の実施形態の帽子１００の底面図である。
【図７】第２の実施形態におけるＬＥＤ照明装置１０の斜視図である。
【図８】第２の実施形態における帽子１００へのＬＥＤ照明装置１０の装着状態を示す模式的説明図である。
【発明を実施するための形態】
【００１５】
以下、本発明の実施の形態について図面を参照しつつ説明する。以下に示す実施の形態は代表例に過ぎず、これらの実施形態に対して種々の変形、変更が可能である。
【００１６】
（第１実施形態）  
図１は、帽子１００の左側面図、図２は、帽子１００を下方から見た底面図である。なお、図２において「右」、「左」との図示は、帽子１００の下側から見て「右方向」、「左方向」であることを示している。帽子１００は、装着者の頭部にその内面が接する本体部１と、本体部１の前方に突き出るつば部２とを備える。本体部１は、略半球状に形成されていて、その内側が帽子装着者の頭部表面に接する。
【００１７】
一例として、本体部１は、円形状の布体を６個の扇形状部材に裁断し、裁断した６個の扇形状部材の隣同士を縫合したものの頂部に頂部留め具３を留めた構成である。但し、扇型状部材の個数、頂部留め具３の有無等は、適宜選択可能である。
【００１８】
つば部２は、本体部１の前側縁部から前方に向かって突き出るように本体部１に縫い付けられている。より具体的には、本体部１の下端を通る面よりも下方に突き出ているが、突き出し方向については特に限定されない。つば部２は、例えば、平面視、略半円状であり、厚手の布地等で形成される。た、図２に示すように、つば部２の平面視左右に貫通された取付け孔４、取付け孔５が形成されている。つまり、図２に示すように帽子１００の前後方向に伸びる中心線である「前後方向中心線」に対して対称に１対の取付け孔４、取付け孔５が、つば部２に形成されている。
【００１９】
取付け孔４、５の周囲は適宜な縫合がなされていて、つば部２を構成する布地等が解けないようになっている。また、取付け孔４、取付け孔５の形状は、円形の他、前後方向・左右方向等に長い楕円形状の長孔等とすることができる。
【００２０】
図３（ａ）、図３（ｂ）は、ＬＥＤ照明装置１０の正面図、左側面図である。ＬＥＤ照明装置１０は、筒状の筐体である筒対１２の両端に端部１４、端部１５を備えている。端部１４、端部１５は、筒体１２の直径よりも大きな直径を有する円柱状部材であり、端部１４、端部１５を備えることにより、ＬＥＤ照明装置１００をグリップし易くなっている。
【００２１】
また、端部１４にはスイッチ１６が設けられ、スイッチ１６の押し込み操作によって照明光の点灯、消灯が繰り返される。一方、図３（ｂ）に示すように、端部１５側には３個のＬＥＤ１８ａ、１８ｂ、１８ｂ（「ＬＥＤ１８」とも記す）が固定されている。３個のＬＥＤ１８ａ、１８ｂ、１８ｂは、ガラスカバー、レンズカバー等で覆われている。また、筒体１２の内部には、不図示の電池、電子回路等が内蔵されている。
【００２２】
試作によれば、筒体１２の外形１６（ｍｍ）、端部間の長さ６４（ｍｍ）、重さ２（ｇ）程度のＬＥＤ照明装置１０を製造すれば、本発明に適用して作業性が十分となることを確認している。
【００２３】
なお、ＬＥＤ１８の個数、照明装置の形状、寸法等は適宜に選択しうるし、ＬＥＤ以外の発光デバイスを利用した照明装置であっても本発明を適用しうる。
【００２４】
図４は、ホルダー２０を取付けたＬＥＤ照明装置１０の斜視図である。ホルダー２０は、ＬＥＤ照明装置１００の筒体１２を取付けたり、外したりすることが可能な程度の可撓性を有するプラスチック部材等で形成されている。ホルダー２０は、通常、半円の外周よりも長く、円の外周よりも短い円弧状の部材であるが、その外周の長さは、ホルダー２０の材質の可撓性と相まって、筒体１２の着脱が容易なように適宜に定められる。
【００２５】
また、ホルダー部材２０の上面には、ボルト２２の一端がねじ込みにより固着されているとともに、ボルト２２の他端は、つば部２に形成された取付け孔４（５）に挿通され、当該他端にはナット２４が締結可能になっている。かくして、ナット２４を締め付けたり、緩めたりすることで、帽子１００に対してＬＥＤ照明装置１０を着脱可能になる。
【００２６】
図５は、帽子１００へのＬＥＤ照明装置１０の装着状態を示す模式的説明図である。図５は、帽子１００の後方で斜め下方向から見た模式的説明図である。取付け孔５に、ホルダー２０に固着されたボルト２２を挿通し、ナット２４で締め付ける。この結果、ホルダー２０が、つば部２の下面に固定される。
【００２７】
したがって、ホルダー２０に対して、ＬＥＤ照明装置１０を装着したり、脱着したりすることができるので、ＬＥＤ照明装置１０を帽子１００に対して着脱可能とすることができる。
【００２８】
また、ボルト２２に締結されているナット２４を緩めることで、ホルダー２０に固着されたボルト２２自体を帽子１００から取り外すこともできる。また、ホルダー２０を適宜の方向に向けてナット締めすることによりＬＥＤ照明装置１０の水平面おける方向調整も容易となる。
【００２９】
なお、取付け孔の数は必ずしも２個である必要は無く、１個または複数個の孔数を選択しうる。複数の孔数を選択する場合、前後方向に取付け孔を形成したりすることもできる。
【００３０】
（第２実施形態）
図６は、第２の実施形態の帽子１００の底面図である。図６において「右」、「左」との図示は、帽子１００の下側から見て「右方向」、「左方向」であることを示している。本実施形態においては、帽子１００の本体部１から前方に突き出るつば部２の下面に面ファスナー６、面ファスナー７を設けている。
【００３１】
図６に示すように帽子１００の前後方向に伸びる中心線である「前後方向中心線」に対して対称に１対の面ファスナー６、面ファスナー７が、つば部２の下面に設けられている。つまり、つば部２の下面の平面視左右に面ファスナー６、面ファスナー７が設けられている。
【００３２】
一例として、面ファスナー６、面ファスナー７は、前後方向に長い長方形状であり、その周囲の縁がつば部２に縫い付けられている。なお、面ファスナーの形状はこれに限られず、面ファスナーの個数も１個または複数個選択可能である。複数個を選択した場合、面ファスナーを前後方向に複数個縫い付ける事も可能である。
【００３３】
図７は、第２の実施形態におけるＬＥＤ照明装置１０の斜視図である。第２の実施形態では、つば部２の下面に設けた面ファスナー６、面ファスナー７に対応する面ファスナーをＬＥＤ照明装置１０に設けている。
【００３４】
ＬＥＤ照明装置１０の筒状に長い筒体１２には、ホルダー３０が固定されている。ホルダー３０の上面は平坦になっていて、その平坦面には面ファスナー３２が接着等により固着されている。
【００３５】
このように、ＬＥＤ照明装置１０の筒体１２に固着された面ファスナー３２に対して着脱可能な面ファスナー６（７）を、つば部２の下面に備えた構成としたので、つば部２側およびＬＥＤ照明装置１０側の双方の面ファスナーを貼り付けたり、剥がしたりすることにより、ＬＥＤ照明装置１０の着脱を極めて容易に行うことができる。
【００３６】
図８は、帽子１００へのＬＥＤ照明装置１０の装着状態を示す模式的説明図である。図８は、帽子１００の後方で斜め下方向から見た模式的説明図である。つば部２に設けた面ファスナー５に対して、ホルダー３０に固着された面ファスナー３２を貼り付けると、ＬＥＤ照明装置２０を帽子１００に装着することが可能になる。
【００３７】
一方、ＬＥＤ照明装置１００を外す際には、双方の面ファスナーの接続状態を解けば良いので、極めて簡易な構成で帽子１００に対してＬＥＤ照明装置１００を着脱可能になる。
【００３８】
以上説明してきたように、本発明の実施形態によれば、本体部１の前方に突き出るつば部２の下面に、ＬＥＤ照明装置１０を着脱可能な着脱部を設けた簡易な構成で、美観の劣化を極力防ぎつつ、必要に応じてＬＥＤ照明装置１０を装着したり外したりすることができる。
【００３９】
着脱部は、当該帽子１００の正面視、つば部２の下面の左右に備えられているので、帽子装着者の右側および／または左側にＬＥＤ照明装置１０を装着することが可能となる。この結果、両目または片目近傍を明るくすることができて、作業性が向上する。
【００４０】
例えば、作業者が着用する作業帽に本発明を適用すれば、作業帽に対して極めて容易に照明装置を取り付けたり、外したりする事ができるので、暗がりでのプラント点検時などには、両手が自由になって作業性が向上する。
【００４１】
特に、暗がりで、かつ、プラント諸元が記載されたプレートが汚れている場合などには、照明を当てつつ両手でプレートの埃を取り除きながらプラント諸元等を確認することができるので一層作業性が向上する。
【００４２】
前述した照明装置の試作品による実験によれば、特に５０（ｃｍ）から１００（ｃｍ）程度、先までを照らしながら作業を行うのに好適である事を確認した。なお、照明の照射可能範囲を調整するにはＬＥＤの個数を変更したり、適切な指向性を有するＬＥＤ素子を選択したりすれば良い。
【００４３】
また、夜間の歩行時等において、両手が開いた状態で前方に照明光を照射することができるので、開いた両手で荷物を持つことが可能になる。
【００４４】
（その他）
以上の実施形態に対して、以下の様な種々の変形、変更等が挙げられる。（１）取付け孔の個数は２個に限られなく、単数でも複数でも良いし、取付け孔を形成する位置はつば部２の所望の位置で良い。（２）ＬＥＤ１８の個数は３個に限られない。ＬＥＤ１８の個数は、１乃至２個、４個以上でも良い。（３）照明装置には必ずしもＬＥＤを利用する必要は無く、ＬＤ（レーザーダイオード）、豆電球等を利用しても良い。
【００４５】
（４）照明装置の筐体、ホルダー２０、３０の形状は、必ずしも図３，図４に示した形状である必要はない。（５）面ファスナーの個数は２個に限られなく、１個でも複数個でも良いし、面ファスナーを設ける位置は、つば部２の下面の所望の位置で良い。
【００４６】
（６）帽子１００の本体部１の形状は必ずしも図１に示したものでなくても良い。（７）取付け孔を帽子前後方向に複数設けても良いし、つば部２の正面視左右の一方に設けても良い。（８）面ファスナーを帽子前後方向に複数設けても良いし、つば部２の正面視左右の一方に設けても良い。（１）〜（８）は、変形、変更の例示に過ぎない。
【産業上の利用可能性】
【００４７】
以上説明してきたように、暗がりでプラント点検を行う作業員等が被る帽子として利用することができる。
【符号の説明】
【００４８】
１  本体部
２  つば部
３  頂部留め具
４  取付け孔
６  面ファスナー
７  面ファスナー
１０  ＬＥＤ照明装置
１８（１８ａ〜１８ｃ）  ＬＥＤ
２０  ホルダー
２２  ボルト
２４  ナット
３０  ホルダー
３２  面ファスナー
１００  帽子
【図１】
2019163553.tif 000003
【図２】
2019163553.tif 000004
【図３】
2019163553.tif 000005
【図４】
2019163553.tif 000006
【図５】
2019163553.tif 000007
【図６】
2019163553.tif 000008
【図７】
2019163553.tif 000009
【図８】
2019163553.tif 000010
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
装着者の頭部にその内面が接する本体部と、
前記本体部の前方に突き出て、貫通孔が形成されたつば部と、
前記貫通孔に挿通されたボルトと、を備え、
前記ボルトの上端側にはナットが締結されると共に、その下端にはホルダーが固着された構成であり、
前記ホルダーは、前方に照明光を照射する照明装置を着脱可能である帽子。
【請求項２】
請求項１に記載の帽子において、
前記ホルダーは、
前記照明装置の筐体が成す形状に対応した形状を有すると共に可撓性を有する部材であることを特徴とする帽子。
【請求項３】
請求項２に記載の帽子において、
前記部材は、前記照明装置の筐体が成す筒状形状に対応した円弧形状を有し、
前記円弧形状の弧の長さは、前記照明装置の筐体が成す筒状形状の断面の円に対する円周よりも短く、当該円周の半分より長いことを特徴とする帽子。
【手続補正２】
【補正対象書類名】明細書
【補正対象項目名】０００８
【補正方法】変更
【補正の内容】
【０００８】
上記目的を達成するために、本発明は、装着者の頭部にその内面が接する本体部と、
前記本体部の前方に突き出て、貫通孔が形成されたつば部と、
前記貫通孔に挿通されたボルトと、を備え、
前記ボルトの上端側にはナットが締結されると共に、その下端にはホルダーが固着された構成であり、
前記ホルダーは、前方に照明光を照射する照明装置を着脱可能に構成した。
【手続補正３】
【補正対象書類名】明細書
【補正対象項目名】００１８
【補正方法】変更
【補正の内容】
【００１８】
つば部２は、本体部１の前側縁部から前方に向かって突き出るように本体部１に縫い付けられている。より具体的には、本体部１の下端を通る面よりも下方に突き出ているが、突き出し方向については特に限定されない。つば部２は、例えば、平面視、略半円状であり、厚手の布地等で形成される。図２に示すように、つば部２の平面視左右に貫通された取付け孔４、取付け孔５が形成されている。つまり、図２に示すように帽子１００の前後方向に伸びる中心線である「前後方向中心線」に対して対称に１対の取付け孔４、取付け孔５が、つば部２に形成されている。
【手続補正４】
【補正対象書類名】明細書
【補正対象項目名】００２５
【補正方法】変更
【補正の内容】
【００２５】
また、ホルダー２０の上面には、ボルト２２の一端がねじ込みにより固着されているとともに、ボルト２２の他端は、つば部２に形成された取付け孔４（５）に挿通され、当該他端にはナット２４が締結可能になっている。かくして、ナット２４を締め付けたり、緩めたりすることで、帽子１００に対してＬＥＤ照明装置１０を着脱可能になる。
【手続補正５】
【補正対象書類名】明細書
【補正対象項目名】００３６
【補正方法】変更
【補正の内容】
【００３６】
図８は、帽子１００へのＬＥＤ照明装置１０の装着状態を示す模式的説明図である。図８は、帽子１００の後方で斜め下方向から見た模式的説明図である。つば部２に設けた面ファスナー７に対して、ホルダー３０に固着された面ファスナー３２を貼り付けると、ＬＥＤ照明装置２０を帽子１００に装着することが可能になる。
【手続補正６】
【補正対象書類名】図面
【補正対象項目名】図４
【補正方法】変更
【補正の内容】
【図４】
2019163553.tif 000011
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
装着者の頭部にその内面が接する本体部と、
前記本体部の前方に突き出て、貫通孔が形成されたつば部と、
前記貫通孔に挿通されたボルトと、を備え、
前記ボルトの上端側にはナットが締結されると共に、その下端にはホルダーが固着された構成であり、
前記ホルダーは、
前方に照明光を照射する照明装置を着脱可能で、前記照明装置の筐体が成す筒状形状に対応した円弧形状を有すると共に可撓性を有する部材であり、
前記円弧形状の弧の長さは、前記照明装置の筐体が成す筒状形状の断面の円に対する円周よりも短く、当該円周の半分より長いことを特徴とする帽子。
【手続補正２】
【補正対象書類名】明細書
【補正対象項目名】０００８
【補正方法】変更
【補正の内容】
【０００８】
上記目的を達成するために、本発明は、装着者の頭部にその内面が接する本体部と、
前記本体部の前方に突き出て、貫通孔が形成されたつば部と、
前記貫通孔に挿通されたボルトと、を備え、
前記ボルトの上端側にはナットが締結されると共に、その下端にはホルダーが固着された構成であり、
前記ホルダーは、
前方に照明光を照射する照明装置を着脱可能で、前記照明装置の筐体が成す筒状形状に対応した円弧形状を有すると共に可撓性を有する部材であり、
前記円弧形状の弧の長さは、前記照明装置の筐体が成す筒状形状の断面の円に対する円周よりも短く、当該円周の半分より長い構成とした。
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
装着者の頭部にその内面が接する本体部と、
前記本体部の前方に突き出て、貫通孔が形成されたつば部と、
前記貫通孔に上下方向に挿通されたボルトと、を備え、
前記ボルトの上端は、前記つば部の上面においてナットが締結されると共に、前記ボルトの下端は、前記つば部の下側においてホルダーが固着された構成であり、
前記ホルダーは、
前方に照明光を照射する照明装置を着脱可能で、前記照明装置の筐体が成す筒状形状に対応した円弧形状を有すると共に可撓性を有する部材であり、
前記円弧形状の弧の長さは、前記照明装置の筐体が成す筒状形状の断面の円に対する円周よりも短く、当該円周の半分より長く、
前記ホルダーは、
正面視、前記つば部の下側において、前記照明装置の筐体が成す筒状形状の断面の円の円弧形状のみを呈する構成である、ことを特徴とする帽子。
【手続補正２】
【補正対象書類名】明細書
【補正対象項目名】０００８
【補正方法】変更
【補正の内容】
【０００８】
上記目的を達成するために、本発明は、装着者の頭部にその内面が接する本体部と、
前記本体部の前方に突き出て、貫通孔が形成されたつば部と、
前記貫通孔に上下方向に挿通されたボルトと、を備え、
前記ボルトの上端は前記つば部の上面においてナットが締結されると共に、前記ボルトの下端は前記つば部の下側においてホルダーが固着された構成であり、
前記ホルダーは、
前方に照明光を照射する照明装置を着脱可能で、前記照明装置の筐体が成す筒状形状に対応した円弧形状を有すると共に可撓性を有する部材であり、前記円弧形状の弧の長さは、前記照明装置の筐体が成す筒状形状の断面の円に対する円周よりも短く、当該円周の半分より長く、
前記ホルダーは、
正面視、前記つば部の下側において、前記照明装置の筐体が成す筒状形状の断面の円の円弧形状のみを呈する構成とした。